(57)【要約】【課題】草刈り機の操作に不慣れな作業者でも草刈り作業が能率よく行える草刈り機のカッターを提供する。【解決手段】操作杆２の先端部に着脱自在に取り付けられたカッター本体６を、操作杆２の基端側に設けられた駆動手段５により高速回転させて草刈りを行う草刈り機に使用するカッター本体６の取り付け孔６ａの周囲に、カッター本体６の下面側に膨出する接地部６ｂを形成したもので、草刈り時カッター本体６の刈り刃６ｆが地表面に食い込むことがないため、草刈り機１の操作に不慣れな作業者でも草刈り作業が能率よく行えると共に、雑草に隠れて地表面に小石等があっても、高速回転するカッター本体６の刈り刃６ｆに小石等が直接当たることがないため、刈り刃６ｆが破損したり、切れ味が早期に低下するのを未然に防止できる上、小石等が周辺に飛散することがないため、草刈り作業が安全に行える。【選択図】図２
0003115639.tif 000002
【実用新案登録請求の範囲】
【請求項１】
操作杆の先端部に着脱自在に取り付けられたカッター本体を、前記操作杆の基端側に設けられた駆動手段により高速回転させて、前記カッター本体により草刈りを行う草刈り機のカッターであって、中心部に取り付け孔が開口され、かつ外周部に刈り刃が形成された円板状のカッター本体に、前記取り付け孔の周囲に位置し、かつ前記カッター本体の下面側に膨出する接地部を形成したことを特徴とする草刈り機のカッター。  
【請求項２】
前記接地部を底面が平坦な接地面となったほぼ皿状に形成し、かつ前記接地部の外周面に、前記接地面側より前記刈り刃側へ順次大径となるテーパ面を形成してなる請求項１に記載の草刈り機のカッター。
【請求項３】
前記接地部の高さが異なるカッター本体を予め複数種類形成して、雑草の刈り込み丈に応じて前記カッター本体を選択できるようにしてなる請求項１または２に記載の草刈り機のカッター。
【請求項４】
前記カッター本体を成形する際、前記接地部を前記カッター本体と一体に成形してなる請求項１ないし３の何れかに記載の草刈り機のカッター。
【考案の詳細な説明】
【技術分野】
【０００１】
本考案は、草刈り機の操作に不慣れな作業者でも草刈り作業が能率よく行える草刈り機のカッターに関する。
【背景技術】
【０００２】
従来エンジンを動力とし、かつ手で保持した状態で作業を行う手持ち式の草刈り機は、小型軽量で可搬性に優れていることから、田畑や野原等の草刈り作業に広く使用されている。
またこの種の草刈り機の多くは、パイプにより形成された操作杆の先端に高速で回転する円板状のカッターが設けられていて、このカッターを操作杆の基端側に設けられたエンジン等の駆動手段により高速回転させる構造となっており、草刈り機で草刈り作業を行う場合、操作杆に取り付けたベルトを肩に掛けて駆動手段を保持し、また駆動手段によりカッターを高速回転させながら、操作杆に設けたハンドルを操作してカッターを左右にほぼ水平に振ることにより、雑草を刈り払う作業を行っている（例えば特許文献１）。
【０００３】
しかし草刈り作業に不慣れな者が前記草刈り機を使用して草刈りを行う場合、草の生えた地表面に対してカッターをほぼ水平に移動するのが難しいことから、刈り込み高さが不揃いになったり、刈り残しが発生すると共に、刈り込み高さが不揃いな雑草をさらに刈り込もうとして、カッターの刃先を地表面に斜めに近づけると、高速で回転するカッターが地表面に食い込んで、草刈りができなくなるばかりか、カッターの刃先が早期に摩耗して、切れ味が悪くなる問題がある。
【０００４】
また雑草が生い茂った田畑や野原等では、雑草に隠れて地表面に小石等が存在していることがあるため、草刈り作業に慣れた作業者でも草刈り中カッターに小石等が当たることがあり、高速で回転するカッターに当たった小石等は周囲に飛散して、作業に危険が伴う上、カッターの刃が小石等により損傷されるため、カッターの寿命が著しく低下する問題がある。
かかる従来の問題を改善するため、カッターの下方に接地プロテクタを設けた草刈り機が例えば特許文献２で開示されている。
前記特許文献２に記載された草刈り機は、カッターを取り付ける駆動軸の下端に皿状の接地プロテクタを回転自在に設けたもので、駆動軸が回転しても接地プロテクタは回転しないため、接地プロテクタが早期に摩耗することがない等の効果を有している。
【特許文献１】特開２００１−１６１１３８号公報
【特許文献２】特開２００５−１６０４４３号公報
【考案の開示】
【考案が解決しようとする課題】
【０００５】
しかし前記特許文献２に記載の草刈り機では、駆動軸の下端に軸受けを介して接地プロテクタを設けた構造のため、用途に応じて刃先形状の異なるカッターと交換したり、刃先が摩耗したため新しいカッターと交換する場合、その都度接地プロテクタの脱着作業を行われなければならないため、カッターの交換作業が面倒である等の問題がある。
また接地プロテクタや、これを支承する軸受け等の部品を必要とするため、部品点数が多くなって部品コストが高くなる等の問題もある。
本考案はかかる問題を改善するためになされたもので、草刈り機の操作に不慣れな作業者でも草刈り作業が能率よく行える草刈り機のカッターを提供することを目的とするものである。
【課題を解決するための手段】
【０００６】
本考案の草刈り機のカッターは、操作杆の先端部に着脱自在に取り付けられたカッター本体を、操作杆の基端側に設けられた駆動手段により高速回転させて、カッター本体により草刈りを行う草刈り機のカッターであって、中心部に取り付け孔が開口され、かつ外周部に刈り刃が形成された円板状のカッター本体に、取り付け孔の周囲に位置し、かつカッター本体の下面側に膨出する接地部を形成したものである。
【０００７】
前記構成により、カッター本体の接地部を地表面に接地させた状態でカッター本体を水平方向へ移動させて草刈りを行うことにより、カッター本体の刈り刃が地表面に食い込むことがないため、草刈り機の操作に不慣れな作業者が草刈り作業を行った場合でも、カッター本体を一度に移動できる範囲が熟練者と同様に拡大でき、これによって草刈り作業が能率よく行える。
また雑草に隠れて地表面に小石等があっても、小石等の高さが接地部の高より小さい場合は、高速回転するカッター本体の刈り刃に小石等が直接当たることがないため、刈り刃が破損したり、切れ味が早期に低下するのを未然に防止できると共に、小石等が周辺に飛散することがないため、草刈り作業が安全に行える。
【０００８】
本考案の草刈り機のカッターは、接地部を底面が平坦な接地面となったほぼ皿状に形成し、かつ接地部の外周面に、接地面側より刈り刃側へ順次大径となるテーパ面を形成したものである。
【０００９】
前記構成により、カッター本体を水平方向へ移動した際、テーパ面により草や小石等との接触抵抗を低減することができるため、長時間草刈り作業をしていても疲労することが少ない。
【００１０】
本考案の草刈り機のカッターは、接地部の高さが異なるカッター本体を予め複数種類形成して、雑草の刈り込み丈に応じてカッター本体を選択できるようにしたものである。
【００１１】
前記構成により、所望とする刈り込み丈に応じたカッター本体を選択することにより、草刈り機の操作に不慣れな作業者であっても、一定した刈り込み丈で草刈りを行うことができる。
【００１２】
本考案の草刈り機のカッターは、カッター本体を成形する際、接地部をカッター本体と一体に成形したものである。
【００１３】
前記構成により、用途に応じて刃先形状の異なるカッターと交換したり、刃先が摩耗したため新しいカッターと交換する際、その都度接地プロテクタの脱着作業を行う必要がないため、カッターの交換作業が容易か短時間で行えると共に、接地プロテクタや軸受け等の部品を必要としないため、部品点数の削減及びこれに伴う部品コストの削減が図れるようになる。
【考案の効果】
【００１４】
本考案の草刈り機のカッターによれば、カッター本体の刈り刃が地表面に食い込むことがないため、草刈り機の操作に不慣れな作業者でも草刈り作業が能率よく行えると共に、雑草に隠れて地表面に小石等があっても、高速回転するカッター本体の刈り刃に小石等が直接当たることがないため、刈り刃が破損したり、切れ味が早期に低下するのを未然に防止できる上、小石等が周辺に飛散することがないため、草刈り作業が安全に行える。
【考案を実施するための最良の形態】
【００１５】
本考案の実施の形態を、図面を参照して詳述する。
図１は草刈り機の斜視図、図２は草刈り用カッターの斜視図、図３は同断面図、図４及び図５は作用説明図である。
草刈り機１は、軽量な金属管よりなる操作杆２を有していて、操作杆２の先端側に筒状のギヤケース３が設けられている。
ギヤケース３内には軸受けと一対の傘歯車（何れも図示せず）が設けられていて、軸受けにカッター軸４が回転自在に支承されており、カッター軸４の上端は、操作杆２内に回転自在に設けられた駆動軸（図示せず）の一端に傘歯車を介して連動されている。
駆動軸の他端側は操作杆２の基端部に設けられたエンジンよりなる駆動手段５に接続されていて、駆動手段５により操作杆２内の駆動軸が一方向に高速回転されるようになっており、駆動軸の回転は、傘歯車を介してカッター軸４へ伝達されるようになっている。
カッター軸４の下端は、ギヤケース３の下方へ突出されていて、カッター軸４の下端部に草刈り用のカッター本体６がナットのような固定手段７により着脱自在に取り付けられている。
【００１６】
カッター本体６は、図２及び図３に示すように鋼板等の金属板により円板状に形成されていて、中心部にカッター軸４の外径より僅かに大径な取り付け孔６ａが開口されており、取り付け孔６ａの周囲には、下面側へほぼ皿状に膨出する接地部６ｂが一体に形成されている。
接地部６ｂは、金属板によりカッター本体６をプレス等の手段で成形する際一体に成形されていて、取り付け孔６ａが開口された取り付け部６ｃから接地面６ｄの高さＨ（以下接地部６ｂの高さＨという）が刈り込み丈に応じて選択できるようになっている。
すなわち、接地部６ｂの高さＨの異なるものが予め複数種類用意されていて、刈り込み丈に応じて使用するカッター本体６を選択できるようになっている。
カッター軸４にカッター本体６を固定する固定手段７の高さは、接地部６ｂの高さＨより低くなっていて、接地面６ｄを接地させた際、固定手段７は接地しないようになっていると共に、接地部６ｂの外周部は、カッター本体６を水平方向へ移動した際、草や小石等との接触抵抗を低減するため、接地面６ｄ側が小径で、かつ上方へ順次大径となるテーパ面６ｅが形成されている。
【００１７】
またカッター本体６の外周部には、鋸歯状の刈り刃６ｆが多数形成されている。
これら刈り刃６ｆには、焼き入れ等の熱処理が施された上、各刈り刃６ｆの先端部には超硬チップ６ｇがロー付け等の手段で固着されていて、刈り刃６ｆの切れ味が早期に低下するのを防止すると同時に、高速回転するカッター本体６の刈り刃６ｆや超硬チップ６ｇが小石等の硬い物に当たっても、刈り刃６ｆが破損したり、超硬チップ６ｇが早期に摩耗または脱落するのを防止している。
なお図１中８は、操作杆２の基端側に取り付けられたハンドルで、ほぼＵ字形に形成されており、上方へ突出された両端部に把持部８ａが設けられている。
また一方の把持部８ａ近傍には、駆動手段５を停止させる停止レバー９が設けられている。
【００１８】
次に前記構成された草刈り機のカッターの作用を説明する。
カッター本体６は、前述したように接地部６ｂの高さＨが異なるものが予め複数種類用意されているので、所望とする刈り込み丈に応じてカッター本体１を選択し、カッター軸４の下端にカッター本体６を固定手段７により図３に示すように取り付ける。
次に駆動手段５を起動したら、操作杆２に予め取り付けられた図示しないベルトを肩に掛けて草刈り作業を開始する。
【００１９】
草刈り作業は、操作杆２に設けられたハンドル８の把持部８ａを両手で把持した状態で、駆動手段５により高速回転されるカッター本体６の接地部６ｂを図４に示すようにして雑草の生えた地表面に接地させ、この状態でカッター本体６を刈り払い方向（矢印Ａ）へ移動させて、カッター本体６の外周部に設けられた刈り刃６ｆにより雑草の草刈りを行うもので、カッター本体６の接地部６ｂ底面（接地面６ｄ）を地表面に接地させた状態でカッター本体６を水平方向へ移動させて草刈りを行うことができるため、草刈り機１の操作に不慣れな作業者が草刈り作業を行った場合でも、カッター本体６の刈り刃６ｆが地表面に食い込むことがなく、これによってカッター本体６を一度に移動できる範囲が熟練者と同様に拡大できるため、草刈り機１の操作に不慣れな作業者でも作業能率が格段に向上する。
【００２０】
一方雑草に隠れて地表面に小石１０等があっても、小石１０等の高さが接地部６ｂの高さＨより小さい場合は、高速回転するカッター本体６の刈り刃６ｆに小石１０等が直接当たることがないため、刈り刃６ｆが破損したり、切れ味が早期に低下するのを未然に防止できると同時に、小石１０等が周辺に飛散することがないため、草刈り作業が安全に行える。
またカッター軸４にカッター本体６を固定している固定手段７が接地部６ｂの接地面６ｄより下方へ突出しないので、接地面６ｄを地表面に接地させた状態でかったカッター本体６を水平方向へ移動させても、固定手段７が地表面や地表面にある小石１０等に接触することがないため、固着手段７が早期に摩耗したり、破損するのを未然に防止することができると共に、カッター本体６と固着手段７の間に雑草が噛み込まれることがないため、駆動手段５を停止させて、カッター本体６と固定手段７の間に噛み込まれた雑草を取り除く等の面倒な手間をなくすこともできる。
【００２１】
さらに接地部６ｂの高さＨより低い刈り込み丈で草刈りをしたい場合は、図５に示すようにカッター本体６の進む方向側が低くなるようにカッター本体６を傾けることにより、任意な刈り込み丈で草刈りが可能になると共に、このとき接地部６ｂの一部が接地状態にあることから、刈り刃６ｆが地表面に食い込むことがなく、これによって草刈り機１の操作に不慣れな作業者であっても容易に短い刈り丈で草刈りが行えるようになる。
【００２２】
なお前記実施の形態では、カッター本体６の下面に接地部６ｂを一体に形成したが、カッター本体６と接地部６ｂを別個に製作して、カッター本体６の下面に接地部６ｂを適宜固着手段で固着するようにしてもよく、この場合既存のカッター本体６に接地部６ｂを取り付けることができるため、接地部６ｂのみを別に製作して既存のカッター本体６と組み合わせて販売したり、接地部６ｂのみを販売し、接地部６ｂを購入した使用者が既存のカッター本体６に取り付けて使用できるようにしてもよい。
【００２３】
また接地部６ｂを接地させた状態で草刈りを繰り返しても、耐摩耗性の金属板により形成されたカッター本体６の接地部６ｂが刈り刃６ｆより先に摩耗することは少ないが、接地部６ｂとほぼ同形状のカバーを耐摩耗性の金属板により予め形成しておき、カッター軸４にカッター本体６を取り付ける際、カバーで接地部６ｂの外側面を覆うようにして、カッター軸４にカッター本体６及びカバーを取り付けることにより、接地部６ｂが摩耗するのを防止することができる。
さらにカッター本体６の刈り刃６ｆを鋸歯状に形成したが、その他の形状、例えば放射方向に突出する突片等で形成してもよく、刈り刃６ｆに固着する超硬チップ６ｇには、例えば炭素工具鋼、合金工具鋼、ばね鋼等が使用可能であると共に、必要に応じてカッター本体６や接地部６ｂ等に肉抜き孔を形成して、カッター本体６の軽量化を図るようにしてもよい。
【図面の簡単な説明】
【００２４】
【図１】本考案の実施の形態になるカッターが取り付けられた草刈り機の斜視図である。
【図２】本考案の実施の形態になる草刈り機のカッターの斜視図である。
【図３】本考案の実施の形態になる草刈り機のカッターの断面図である。
【図４】本考案の実施の形態になる草刈り機のカッターで草刈りを行う際の作用説明図である。
【図５】本考案の実施の形態になる草刈り機のカッターで草刈りを行う際の作用説明図である。
【符号の説明】
【００２５】
１    草刈り機
２    操作杆
４    カッター軸
５    駆動手段
６    カッター本体
６ａ    取り付け孔
６ｂ    接地部
６ｄ    接地面
６ｅ    テーパ面
【図１】
0003115639.tif 000003
【図２】
0003115639.tif 000004
【図３】
0003115639.tif 000005
【図４】
0003115639.tif 000006
【図５】
0003115639.tif 000007